(57)【要約】【課題】ゴルフクラブヘッドにおけるキャビティバック設計の有効性を指示する基準を提案する。【解決手段】パターヘッド１は、ヘッド本体２と、該ヘッド本体２のヒール側の上面から上方に突設されたホゼル部３とを有する。ヘッド本体２は、前面がフェース部２ａとなっており、背面には凹所（キャビティ）２ｂが設けられている。凹所２ｂの全周囲にわたって凸条部２ｃ，２ｄ，２ｅ，２ｆが設けられている。ヘッド本体２の背面の飛球線方向後方側からの投影図において、ヘッド本体２の投影面積をＳ１とし、凹所２ｂの投影面積をＳ２とした場合、Ｓ２／Ｓ１の比が７０〜９０％好ましくは８０〜９０％である。【選択図】図１
2009136490.tif 000002
【特許請求の範囲】
【請求項１】
ホゼル部を有すると共に、背面に、フェース側へ凹陥する凹所が設けられ、該凹所の周囲が後方へ突出する凸条部となっているゴルフクラブヘッドにおいて、
該ゴルフクラブヘッドの背面の飛球線方向後方側からの投影図において、ホゼル部以外のヘッド本体の投影面積Ｓ１に対する前記凹所の投影面積Ｓ２の比Ｓ２／Ｓ１が７０〜９０％であることを特徴とするゴルフクラブヘッド。
【請求項２】
請求項１において、Ｓ２／Ｓ１が８０〜９０％であることを特徴とするゴルフクラブヘッド。
【請求項３】
請求項１又は２において、ゴルフクラブヘッドはパターのゴルフクラブヘッドであることを特徴とするゴルフクラブヘッド。
【請求項４】
請求項１又は２において、ゴルフクラブヘッドはアイアンのゴルフクラブヘッドであることを特徴とするゴルフクラブヘッド。
【発明の詳細な説明】
【技術分野】
【０００１】
本発明は、パター又はアイアン等のゴルフクラブヘッドに係り、特に背面に凹所を有したゴルフクラブヘッドに関する。
【背景技術】
【０００２】
パター又はアイアンにあっては、ゴルフクラブヘッドの背面にキャビティと通称される凹所を設けることがある（例えば下記特許文献１〜４）。周知の通り、このような凹所を設け、凹所の周縁部に凸条部を設けるいわゆる重量周辺分散を行うことにより、ゴルフボールをヒットするフェース面におけるスイートエリアが大きくなる。
【特許文献１】特開２００７−２１６０６１
【特許文献２】特開２００１−１９０７２０
【特許文献３】特開平１０−３３７３１
【特許文献４】特開平７−２１３６５６
【発明の開示】
【発明が解決しようとする課題】
【０００３】
上記の通り、フラットなバック形状のものに比べて、背面に凹所を設けたキャビティバックタイプのゴルフクラブヘッドは、スイートエリアが広いものとなる。
【０００４】
本発明は、ゴルフクラブヘッドにおけるキャビティバック設計の有効性を指示する基準を提案するものである。
【課題を解決するための手段】
【０００５】
請求項１のゴルフクラブヘッドは、ホゼル部を有すると共に、背面に、フェース側へ凹陥する凹所が設けられ、該凹所の周囲が後方へ突出する凸条部となっているゴルフクラブヘッドにおいて、該ゴルフクラブヘッドの背面の飛球線方向後方側からの投影図において、ホゼル部以外のヘッド本体の投影面積Ｓ１に対する前記凹所の投影面積Ｓ２の比Ｓ２／Ｓ１が７０〜９０％であることを特徴とするものである。
【０００６】
請求項２のゴルフクラブヘッドは、請求項１において、Ｓ２／Ｓ１が８０〜９０％であることを特徴とするものである。
【０００７】
請求項３のゴルフクラブヘッドは、請求項１又は２において、ゴルフクラブヘッドはパターのゴルフクラブヘッドであることを特徴とするものである。
【０００８】
請求項４のゴルフクラブヘッドは、請求項１又は２において、ゴルフクラブヘッドはアイアンのゴルフクラブヘッドであることを特徴とするものである。
【発明の効果】
【０００９】
従来の重量周辺分散を目的としたキャビティバックタイプのヘッド裏面の凹所は、重量をヘッド重心から遠くに配分する目的で、ヘッド重心近傍となるヘッド裏面中央の肉を削り、その肉をヘッド裏面周辺に帯状に盛り上げるようにした結果、ヘッド裏面中央に形成されたものである。この重量周辺分散の効果は、盛り上げる肉の総重量が同じであるなら、帯の幅が狭く高くなるように盛り上げることにより、大きくなる。
【００１０】
本発明では、飛球線方向後方側からの投影図において、上記比率Ｓ２／Ｓ１を７０〜９０％と高くし、凹所の面積比を大きくしているので、重量周辺分散の効果が大きい。この比率Ｓ２／Ｓ１を８０〜９０％とすれば、より効果的である。
【００１１】
本発明のゴルフクラブヘッドは、パター、アイアン等に適用するのに好適である。
【発明を実施するための最良の形態】
【００１２】
以下、図面を参照して実施の形態について説明する。
【００１３】
第１図（ａ）は実施の形態に係るゴルフクラブヘッドとしてのパターヘッドの後方かつ上方かつヒール側からの斜視図、第１図（ｂ）は第１図（ａ）のＢ−Ｂ線断面図、第１図（ｃ）は第１図（ａ）のＣ−Ｃ線断面図である。
【００１４】
このパターヘッド１は、ヘッド本体２と、該ヘッド本体２のヒール側の上面から上方に突設されたホゼル部３とを有する。このホゼル部３にシャフト４が挿入され、接着剤で固定されることによりパターが構成される。
【００１５】
このヘッド本体２は、前面がフェース部２ａとなっており、背面には凹所（キャビティ）２ｂが設けられている。凹所２ｂの全周囲にわたって凸条部２ｃ，２ｄ，２ｅ，２ｆが設けられている。凸条部２ｃはヘッド本体２の上縁に沿って延在し、凸条部２ｄはヒール部に沿って延在し、凸条部２ｅはソール部に沿って延在し、凸条部２ｆはトウ部に沿って延在している。
【００１６】
この実施の形態では、凸条部２ｃ〜２ｆは、フェース部２ａの外周縁の裏面から飛球線方向後方側に立ち上がる環状壁として設けられている。
【００１７】
このヘッド本体２の背面の飛球線方向後方側からの投影図において、ヘッド本体２の投影面積をＳ１とし、凹所２ｂの投影面積をＳ２とした場合、Ｓ２／Ｓ１の比が７０〜９０％好ましくは８０〜９０％である。第１図（ｂ），（ｃ）におけるＳ１，Ｓ２は、これらの投影面積の範囲を示している。なお、Ｓ１，Ｓ２は高さやトウ・ヒール方向の長さではなく、投影面積の範囲を示している。即ち、投影面積Ｓ１は、凸条部２ｃ〜２ｆの外周縁に囲まれる領域の投影面積であり、投影面積Ｓ２は凸条部２ｃ〜２ｆの内周で囲まれた凹所２ｂの投影面積である。
【００１８】
上記の飛球線方向とは、ヘッド本体をソールした状態におけるフェース面の法線の水平成分である。「後方側から」は、「ヘッドの後方から」を意味する。
【００１９】
このように、Ｓ２／Ｓ１を７０〜９０％好ましくは８０〜９０％と高くし、凹所２ｂを大きくしたことにより、重量周辺分散効果が大きく、ヘッド本体２のスイートエリアが大きいものとなる。
【００２０】
なお、Ｓ２／Ｓ１が９０％よりも大きいと、凸条部２ｃ〜２ｆの重量を多くするために凸条部２ｃ〜２ｆの後方への突出長さが過大となってしまう。Ｓ２／Ｓ１が７０％よりも小さいと、重量周辺分散が小さくなる。Ｓ２／Ｓ１が７０〜９０％特に８０〜９０％であると、凸条部２ｃ〜２ｆの後方への突出長さが適切であり、しかも重量周辺分散効果が大きいものとなる。
【００２１】
なお、この実施の形態に係るパターヘッド１の場合、フェース部２ａの面積は１８００〜３８００ｍｍ２特に２２００〜３０００ｍｍ２程度が好適である。凸条部２ｃ〜２ｅの肉厚は１〜４ｍｍ特に１〜３ｍｍ程度が好適である。凸条部２ｃ〜２ｅの後方への突出長さ（凹所２ｂの深さ）は平均して３ｍｍ以上、例えば３〜２０ｍｍ程度が好ましい。ただし、この数値は一例であり、本発明はこれに限定されるものではない。
【００２２】
第１図では、凸条部２ｃ〜２ｆの後方への突出長さは略均一であるが、上縁側の凸条部２ｃの後方への突出長さをソール側の凸条部２ｅよりも小さくしてもよい。ヒール側及びトウ側の凸条部２ｄ，２ｆの後方への突出長さはソール側の凸条部２ｅよりも小さくしてもよく、大きくしてもよい。
【００２３】
なお、第１図のゴルフクラブヘッド１において、フェース部２ａが縦（上下方向長さ）２５ｍｍ、トウ・ヒール方向長さ１００ｍｍの長方形状である場合、凸条部２ｃ〜２ｆの肉厚に応じて上記Ｓ２／Ｓ１は次の通りとなる。
肉厚１ｍｍの場合、Ｓ２／Ｓ１＝９０．２％
肉厚２ｍｍの場合、Ｓ２／Ｓ１＝８０．６％
肉厚３ｍｍの場合、Ｓ２／Ｓ１＝７１．４％
【００２４】
第１図のパターヘッドは全体として一様な金属材料にて構成されてもよく、フェース面を金属以外のゴム、合成樹脂、セラミックス、カーボン等で構成してもよい。また、凸条部の少なくとも一部にフェース部などよりも高比重の金属等よりなるウェイト材を埋設したり、取り付けたりしてもよい。フェース部等をアルミ、アルミ合金、チタン、チタン合金などで構成した場合、それよりも高比重の金属材料としては、タングステン、タングステン合金のほか、ベリリウム銅、真鍮、青銅などの銅合金が例示されるが、これに限定されない。
【００２５】
第２図及び第３図はそれぞれ凸条部にウェイト材を設けた実施の形態に係るパターヘッドのヘッド本体の水平断面図であり、第１図（ｃ）と同様部分の断面を示している。
【００２６】
第２図のゴルフクラブヘッド１０は、フェース部１１ａ及び凸条部１１ｂを有したメインパーツ１１を含む本体と、該メインパーツに固着されたウェイト材１２とを有している。凸条部１１ｂはフェース部１１ａの背面の周縁部の全周にわたって後方へ延出している。
【００２７】
この実施の形態では、ウェイト材１２はメインパーツ１１の背面の周縁に沿って周回する環状である。このウェイト材１２のメインパーツ１１側の外周縁に段差部１２ａが設けられ、この段差部１２ａが凸条部１１ｂと係合している。ウェイト材１２は接着剤による接着のほか、圧入、収縮嵌めなどによりメインパーツ１１に固定されている。凸条部１１の内側及びウェイト材１２の内側が凹所（キャビティ）１３である。
【００２８】
この実施の形態では、図示の通り、ウェイト材１２の外周面と凸条部１１ｂの外周面とが面一状となっているので、飛球線方向後方側からの投影図におけるホゼル部以外のヘッド本体の投影面積Ｓ１は、ウェイト材１２の外周の投影面積となる。また、凸条部１１ｂの内周縁で囲まれた領域の投影面積がＳ２である。第２図及び後述の第３図におけるＳ１，Ｓ２は、投影面積の範囲を示すものであり、トウ・ヒール方向の長さを示すものではない。
【００２９】
第３図のゴルフクラブヘッド２０は、フェース部２１ａ及び凸条部２１ｂを有したメインパーツ２１と、該メインパーツに固着されたウェイト材２２とを有している。凸条部２１ｂはフェース部２１ａの背面の周縁部の全周にわたって後方へ延出している。
【００３０】
この実施の形態では、ウェイト材１２は凸条部２１ｂの内周面とフェース部２１ａの背面との交叉隅角部に沿って周回する環状である。ウェイト材２２は接着剤による接着のほか、圧入、収縮嵌めなどによりメインパーツ２１に固定されている。凸条部２１ｂの内側及びウェイト材２２の内側が凹所（キャビティ）２３である。
【００３１】
この実施の形態では、図示の通り、ウェイト材２２は凸条部２１ｂの後端よりも凹所２３内に引っ込んでいる。凸条部２１ｂの内周で囲まれた領域の投影面積がＳ２となる。また、飛球線方向後方側からの投影図におけるホゼル部以外のヘッド本体の投影面積Ｓ１は、凸条部２１ｂの外周で囲まれた領域の投影面積となる。
【００３２】
これらの第２，３図のパターヘッド１０，２０においても、Ｓ２／Ｓ１を７０〜９０％特に８０〜９０％とすることにより、重量周辺分散が大きくなり、スイートエリアが広いものとなる。なお、第３図のパターヘッド２０においては、ウェイト材２２が凹所（キャビティ）２３内に配置されており、第２図に比べて重量周辺分散効果が小さいので、Ｓ２／Ｓ１を８０〜９０％とし、重量周辺分散効果を確保するのが好ましい。
【００３３】
第２図〜第３図のパターヘッドの好ましい寸法は第１図の場合と同様である。
【００３４】
第４図〜第７図は実施の形態に係るアイアンヘッドを示すものであり、第４図は正面図、第５図は背面図、第６図は第５図のVI−VI線断面図、第７図は第５図のVII−VII線断面図である。
【００３５】
このアイアンヘッド３０は、ヘッド本体３１と、該ヘッド本体３１のヒール側から上方へ突設されたホゼル部３２とを有している。
【００３６】
このヘッド本体３１は、前面がフェース部３１ａとなっており、背面には凹所（キャビティ）３１ｂが設けられている。凹所３１ｂの全周囲にわたって凸条部３１ｃ，３１ｄ，３１ｅ，３１ｆが設けられている。凸条部３１ｃはヘッド本体３１の上縁に沿って延在し、凸条部３１ｄはヒール部に沿って延在し、凸条部３１ｅはソール部に沿って延在し、凸条部３１ｆはトウ部に沿って延在している。
【００３７】
この実施の形態では、凸条部３１ｃ〜３１ｆは、フェース部３１ａの外周縁の裏面から飛球線方向後方側に立ち上がる環状壁として設けられている。
【００３８】
このヘッド本体３１の背面の飛球線方向後方側からの投影図において、ヘッド本体３１の投影面積をＳ１とし、凹所３１ｂの投影面積をＳ２とした場合、Ｓ２／Ｓ１の比が７０〜９０％好ましくは８０〜９０％である。前記の各実施の形態と同じく、第６，７図におけるＳ１，Ｓ２は、これらの投影面積の範囲を示している。
【００３９】
このように、Ｓ２／Ｓ１を７０〜９０％好ましくは８０〜９０％と高くし、凹所３１ｂを大きくしたことにより、重量周辺分散効果が大きく、ヘッド本体２のスイートエリアが大きいものとなる。
【００４０】
なお、この実施の形態に係るアイアンヘッド１の場合、７番アイアンのフェース面３１ａの面積は３３００〜３９００ｍｍ２特に３６００〜３７００ｍｍ２程度が好適である。凸条部３１ｃ〜３１ｅの後方への突出長さ（凹所３１ｂの深さ）は平均して３ｍｍ以上、例えば３〜１０ｍｍ程度が好ましい。ただし、この数値は一例であり、本発明はこれに限定されるものではない。
【００４１】
なお、ソール状態において、上縁側の凸条部３１ｃの後端をソール側の凸条部３１ｅの後端よりも前方（フェース面側）としてもよく、後方としてもよい。
【００４２】
第１図のゴルフクラブヘッドは全体として一様な金属材料にて構成されてもよく、フェース面をチタン、チタン合金等の低比重金属とし、ホゼル部３２及び凸条部３１ｃ〜３１ｆを含む周囲部をステンレス等の鉄系金属材料にて構成してもよい。また、凸条部の少なくとも一部特にソール側の凸条部３１ｅに高比重の金属等よりなるウェイト材を埋設したり、取り付けたりしてもよい。ウェイト材の材料としてはタングステン、タングステン合金のほか、ベリリウム銅、真鍮、青銅などの銅合金が例示されるが、これに限定されない。
【実施例】
【００４３】
実施例１
フェース面の正面視形状及び凹所の背面視形状がそれぞれ長方形状である他は第１図に示した構成のパターヘッドを次の寸法にて製作した。
フェース部のトウ・ヒール方向の長さ            １００ｍｍ
フェース部の上下方向の長さ                    ２５ｍｍ
ヘッド本体の前後方向の長さ                    ４０ｍｍ
凹所（キャビティ）のトウ・ヒール方向の長さ    ８０ｍｍ
凹所（キャビティ）の上下方向の長さ            １５ｍｍ
凸条部（上辺側）の肉厚                        ５ｍｍ
凸条部（ヒール側）の肉厚                      １０ｍｍ
凸条部（ソール側）の肉厚                      ５ｍｍ
凸条部（トウ側）の肉厚                        １０ｍｍ
【００４４】
このパターヘッドの材料は、全体として比重４．８のチタン合金とした。
【００４５】
このパターヘッドのＳ１，Ｓ２，Ｓ２／Ｓ１比及び重心を含む鉛直線回りの慣性モーメントのデータを表１に示す。
【００４６】
実施例２
実施例１において、凸条部の後部側を高比重金属（比重８．６の銅合金）よりなるウェイト材にて構成した第２図に示す断面形状のパターヘッドを製作した。
【００４７】
なお、凸条部のうちチタン合金製部分の前後方向長さは１５ｍｍであり、凹所の深さは実施例１と同じである。ウェイト材の肉厚（段差部を除く）は次の通りである。
上辺側          ２．９ｍｍ
ヒール側        ５ｍｍ
ソール側        ２．９ｍｍ
トウ側          ５ｍｍ
【００４８】
このパターヘッドのデータを表１に示す。
【００４９】
【表１】
2009136490.tif 000003
【図面の簡単な説明】
【００５０】
【図１】実施の形態に係るパターヘッドの構成図である。
【図２】別の実施の形態に係るパターヘッドの断面図である。
【図３】さらに別の実施の形態に係るパターヘッドの断面図である。
【図４】実施の形態に係るアイアンヘッドの正面図である。
【図５】図５のアイアンヘッドの背面図である。
【図６】図５のVI−VI線断面図である。
【図７】図５のVII−VII線断面図である。
【符号の説明】
【００５１】
１，１０，２０  パターヘッド
２，１１，２１  ヘッド本体
２ａ  フェース面
２ｂ，１３，２３  凹所（キャビティ）
２ｃ〜２ｆ，１１ｂ，２１ｂ  凸条部
３  ホゼル部
３０  アイアンヘッド
３１  ヘッド本体
３１ａ  フェース面
３１ｂ  凹所（キャビティ）
３１ｃ〜３１ｆ  凸条部
３２  ホゼル部
【図１】
2009136490.tif 000004
【図２】
2009136490.tif 000005
【図３】
2009136490.tif 000006
【図４】
2009136490.tif 000007
【図５】
2009136490.tif 000008
【図６】
2009136490.tif 000009
【図７】
2009136490.tif 000010